(57)【要約】【課題】  開閉可能な用紙搬送ガイドを閉じる際に、用紙搬送ガイドが大きく重い、ピンチローラのピンチ圧が高い、開閉角度が大きい、開閉範囲内で他の用紙搬送ガイドやカバー類が開閉する等の条件により、従来技術のネジリコイルバネによる付勢では確実な開閉が困難である。【解決手段】  用紙搬送用の搬送ローラとピンチローラを平行に横架して、当該搬送ローラと該ピンチローラの間に用紙の供給をガイドする上側搬送ガイドと、該ピンチローラが取り付けられ回転軸を中心として回動するとともに、開放時にレバーの作用で上側搬送ガイドとのロックを解除し、ピンチローラのピンチ圧を解除する下側搬送ガイドを平行に配設した用紙搬送ガイドにおいて、上記下側搬送ガイドの開閉動作で閉鎖方向へ回転した際に、持ち上げたレバーと反対側のロック機構が先にロックされるように、下側搬送ガイドの裏側に下側搬送ガイドのレバーの反対側を押し上げるバネと、バネを保持する補強部材を設ける。【選択図】図２
2005189306.tif 000002
【特許請求の範囲】
【請求項１】
用紙搬送用の搬送ローラとピンチローラを平行に横架して、当該搬送ローラと該ピンチローラの間に用紙の供給をガイドする上側搬送ガイドと、
該ピンチローラが取り付けられ回転軸を中心として回動するとともに開放時にレバーの作用で上側搬送ガイドとのロックを解除し、ピンチローラのピンチ圧を解除する下側搬送ガイドを平行に配設した用紙搬送ガイドにおいて、
上記下側搬送ガイドの開閉動作で閉鎖方向へ回転した際に、持ち上げたレバーと反対側のロック機構が先にロックされるように、下側搬送ガイドの裏側の補強部材と下側搬送ガイドのレバーの反対側を押し上げる押上部材を設けたことを特徴とする用紙搬送ガイド開閉機構。
【発明の詳細な説明】
【技術分野】
【０００１】
本発明は、記録紙等のシートを供給するシート給送装置から送り出されたシートの表裏両面に印刷可能な電子写真装置に関するものである。
【背景技術】
【０００２】
レーザプリンタ、複写機等の電子写真装置においては、印刷用紙搬送経路内での紙づまり処理の際、用紙搬送ガイドを開き、かつ搬送ローラのピンチ圧を解除して紙づまりが発生した用紙を除去した後に用紙搬送ガイドを閉じて元に復旧させている。
【０００３】
【特許文献１】特開平６−１６２７７公報
【発明の開示】
【発明が解決しようとする課題】
【０００４】
開閉可能な用紙搬送ガイドを閉じる際に、用紙搬送ガイドが大きく重い、ピンチローラのピンチ圧が高い、開閉角度が大きい、開閉範囲内で他の用紙搬送ガイドやカバー類が開閉する等の条件により、従来技術のネジリコイルバネによる付勢では確実な開閉が困難であった。
【０００５】
本発明は上記のような問題点に鑑み、用紙搬送ガイドの開閉が容易，且つ確実に行える用紙搬送ガイド開閉機構の提供を目的とするものである。
【課題を解決するための手段】
【０００６】
用紙搬送用の搬送ローラとピンチローラを平行に横架して、当該搬送ローラと該ピンチローラの間に用紙の供給をガイドする上側搬送ガイドと、該ピンチローラが取り付けられ回転軸を中心として回動するとともに、開放時にレバーの作用で上側搬送ガイドとのロックを解除し、ピンチローラのピンチ圧を解除する下側搬送ガイドを平行に配設した用紙搬送ガイドにおいて、上記下側搬送ガイドの開閉動作で閉鎖方向へ回転した際に、持ち上げたレバーと反対側のロック機構が先にロックされるように、下側搬送ガイドの裏側に下側搬送ガイドのレバーの反対側を押し上げるバネと、バネを保持する補強部材を設ける。
【発明の効果】
【０００７】
本発明では、下側搬送ガイドを閉じる際に持ち上げた開閉レバーの反対側が下側搬送ガイドの内側に取り付けたバネにより押し上げられ、先にロックすることにより下側搬送ガイドの片側が浮いた状態になることを防止し、下側搬送ガイドを確実に開閉することが出来る。また、用紙搬送ガイドが大きく重い、ピンチローラのピンチ圧が高い、開閉角度が大きい、開閉範囲内で他の用紙搬送ガイドやカバー類が開閉する等の条件でも、下側搬送ガイドを確実に開閉することが出来る。
【発明を実施するための最良の形態】
【０００８】
下側搬送ガイドを閉じる際に持ち上げた開閉レバーの反対側が下側搬送ガイドの内側に取り付けたバネにより押し上げられ、先にロックすることにより下側搬送ガイドの片側が浮いた状態になることを防止し、下側搬送ガイドを確実に開閉することが出来る用紙搬送ガイド開閉機構を実現することが出来た。
【実施例１】
【０００９】
以下に本発明に係るシート給送装置の一実施例の形態について、図面を参照して説明する。
【００１０】
図１は本発明なる画像形成装置の一実施例を示す全体構成図であり、はじめに画像形成装置としてレーザプリンタを例示し、その全体概略構成を図１を用いて説明する。
【００１１】
図１において１、２、３はシート給送装置であり、３は１、２に比べシート収納量が多く、レーザプリンタに対して大量にシートを供給することができる。
【００１２】
シート給送装置１、２、３は、図１の紙面に対し垂直方向へ引出し可能であり、シート給送装置が所定の装着位置に押し込まれてプリンタ本体に装填されると、不図示の光学センサが各シート給送装置の装填を検出し、不図示の昇降テーブル駆動用ギアと係合し、昇降テーブルに積載された用紙の最上面（昇降テーブル上に用紙が存在しない場合は昇降テーブル上面）が、給紙ローラ２０、２１、２２に当接するまで昇降テーブルの上昇動作が行われる。
【００１３】
４は感光ドラムを示し、不図示のコントローラからの信号に基づいて回転を始める。感光ドラム４、４ａが回転を開始すると、不図示のコロナ帯電器によって感光ドラム４表面が均一に帯電される。帯電した感光ドラム４、４ａには、光学系１１、１１ａにより静電潜像が形成される。静電潜像は不図示の現像装置の位置に到達するとトナーによって現像され、感光ドラム４、４ａ上にトナー像として可視化される。こうして公知の電子写真プロセスにより形成されたトナー像は転写器５、５ａにより用紙トレイ１、２または３から送り出されてきた用紙に転写される。６、６ａは定着装置であり、用紙に転写されたトナー像を定着させる。なお、１２、１２ａは搬送される用紙の方向を切り替えるゲート部材である。
【００１４】
１４、１４ａは送紙路で、給紙部１、２、３、画像形成手段４、５、６及び４ａ、５ａ、６ａを連絡する用紙搬送路として設けられている。１３、１３ａは引込み路を示し、画像形成手段４、５、６及び４ａ、５ａ、６ａに対し用紙搬送方向下流側の送紙路１４、１４ａから分岐して設けられており、ゲート部材１２、１２ａの切り替えにより定着装置６、６ａから送り出されてきた用紙を選択的に引き込む。
【００１５】
１５、１５ａは戻し路を示し、引込み路１３、１３ａの途中から分岐し、その終端を画像形成手段４,５,６及び４ａ、５ａ、６ａに対し用紙搬送方向上流側の送紙路１４、１４ａに合流させて設けられている。
【００１６】
従って、用紙の両面に画像記録を行う場合は、定着装置６、６ａから送り出されてきた用紙を引込み路１３、１３ａへ引き込み、この引き込んだ用紙を戻し路１５、１５ａに送り出すことによって、片面記録済みの用紙を再び画像形成手段に送り込み、これによって両面画像記録が実行される。なお、図において７、８、７ａ、８ａはゲート部材１２、１２ａの前後に設けられた搬送ローラ、９、１０、９ａ、１０ａは引込み路１３、１３ａ上に設けられた正転／逆転切り替え可能な搬送ローラ、１６、１６ａは引込み路１３、１３ａに引き込まれた用紙を戻し路１５、１５ａへ案内、あるいは再び送紙路１４、１４ａ側へ戻す様に案内するためのゲート部材である。
【００１７】
第一画像形成装置２５から出た用紙は、第一画像形成装置２５と第二画像形成装置２７を繋ぐ接続装置２６の用紙搬送路３１へ入る。用紙搬送路３１、３２、３３を通過した用紙は、第二画像形成装置２７の用紙搬送路３４へ入る。第二画像形成装置２７も第一画像形成装置２５と同様のプロセスで印刷が行われる。
【００１８】
図２は図１のA部に本発明なる用紙搬送ガイドを適用し、下側搬送ガイド３１ｂが開いた状態を示す構造図である。図３は図２の下側搬送ガイド３１ｂが閉じた状態を示す構造図である。図２において接続装置２６に固定された上側搬送ガイド３１ａと、回転軸４２を中心に開閉可能な下側搬送ガイド３１ｂにより、搬送路３１を形成する。
【００１９】
下側搬送ガイド３１ｂの裏側には補強部材４０が取り付けられ、開閉レバー４１が取り付けられた側が固定ネジ４３で固定されている。下側搬送ガイド３１ｂと補強部材４０の間の開閉レバー４１と反対側の位置にバネ３９が取り付けられ、下側搬送ガイド３１ｂの開閉レバー４１と反対側を押し上げている。開閉レバー４１を図３のB方向に押し上げ下側搬送ガイド３１ｂを閉じると、バネ３９に押し上げられている下側搬送ガイド３１ｂの開閉レバー４１の反対側にある不図示のマグネットと上側搬送ガイド３１ａが先に接し、続いて開閉レバー４１側の不図示のマグネットが接する。
【００２０】
下側搬送ガイド３１ｂを閉じる際に、力を加える開閉レバー４１の反対側が必ず先に接することで、下側搬送ガイド３１ｂと上側搬送ガイド３１ａの平行を保つことが出来る。
【００２１】
下側搬送ガイド３１ｂが大型になったりピンチローラ３８のピンチ圧が高い場合は、固定方法をマグネットからラッチ機構に変更しバネ３９の荷重を上げる事により、開閉レバー４１の反対側が必ず先に接するよう調整することが出来る。
【産業上の利用可能性】
【００２２】
用紙搬送路を持つ用紙搬送装置において、横向き、上向きの開閉可能搬送ガイドにも適用出来る。
【図面の簡単な説明】
【００２３】
【図１】本発明に係る電子写真装置の一実施例を示す構造図である。
【図２】図１のA部に適用した下側搬送ガイド３１ｂが開いた状態を示す構造図である。
【図３】図１のA部に適用した下側搬送ガイド３１ｂが閉じた状態を示す構造図である。
【図４】図１のA部に適用した下側搬送ガイド３１ｂの構成を示す斜視図である。
【符号の説明】
【００２４】
１、２、３  シート給送装置
４、４ａ  感光ドラム
５、５ａ  転写器
６、６ａ  定着装置
７、７ａ  搬送ローラ
８、８ａ  搬送ローラ
９、９ａ、１０、１０ａ  正転／逆転切り替え可能な搬送ローラ
１１、１１ａ  光学系
１２、１２ａ  ゲート部材
１３、１３ａ  引込み路
１４、１４ａ  送紙路
１５、１５ａ  戻し路
１６、１６ａ  ゲート部材
２０、２１、２２  給紙ローラ
２５  第一画像形成装置
２６  接続装置
２７  第二画像形成装置
３０  用紙冷却ファン
３１、３２、３３、３４、３５  用紙搬送路
３１ａ  上側搬送ガイド
３１ｂ  下側搬送ガイド
３６  用紙冷却ファン
３７  搬送ローラ
３８  ピンチローラ
３９  バネ
４０  補強部材
４１  開閉レバー
４２  回転軸
４３  固定ネジ
４４  マグネット
【図１】
2005189306.tif 000003
【図２】
2005189306.tif 000004
【図３】
2005189306.tif 000005
【図４】
2005189306.tif 000006